【手続補正書】
【提出日】平成27年7月1日(2015.7.1)
【手続補正１】
【補正対象書類名】明細書
【補正対象項目名】０００６
【補正方法】変更
【補正の内容】
【０００６】
上述した課題を解決するために本発明の撮影装置は、
被写体を撮影する撮像手段と、
前記撮像手段からの画像をライブビュー画像として表示するライブビュー画面内において、仮被写体像を所定の位置に配置して合成表示する合成表示手段と、
少なくとも撮影位置、撮影方向、撮影倍率のいずれかが変更された際にその変化量に応じて前記ライブビュー画面内の仮被写体像の表示状態を変更する表示制御手段と、
を備えたことを特徴とする撮像装置である。
【手続補正２】
【補正対象書類名】明細書
【補正対象項目名】０００７
【補正方法】変更
【補正の内容】
【０００７】
上述した課題を解決するために本発明の撮影処理方法は、
被写体を撮影する撮像手段からの画像をライブビュー画像として表示するライブビュー画面内において、仮被写体像を所定の位置に配置して合成表示する処理と、
少なくとも撮影位置、撮影方向、撮影倍率のいずれかが変更された際にその変化量に応じて前記ライブビュー画面内の仮被写体像の表示状態を変更する処理と、
を含むことを特徴とする撮像処理方法である。
【手続補正３】
【補正対象書類名】特許請求の範囲
【補正対象項目名】全文
【補正方法】変更
【補正の内容】
【特許請求の範囲】
【請求項１】
被写体を撮影する撮像手段と、
前記撮像手段からの画像をライブビュー画像として表示するライブビュー画面内において、仮被写体像を所定の位置に配置して合成表示する合成表示手段と、
少なくとも撮影位置、撮影方向、撮影倍率のいずれかが変更された際にその変化量に応じて前記ライブビュー画面内の仮被写体像の表示状態を変更する表示制御手段と、
を備えたことを特徴とする撮像装置。
【請求項２】
前記撮像手段によって仮撮影された撮影画像内に実際に写っている実被写体像の位置を特定する特定手段を更に備え、
前記合成表示手段は、前記ライブビュー画面内において、前記実被写体像を表す仮被写体像を前記特定手段によって特定された位置に配置し、
前記表示制御手段は、前記仮撮影時を基準として、少なくとも撮影位置、撮影方向、撮影倍率のいずれかが変更された際にその変化量に応じて前記ライブビュー画面内の仮被写体像の表示状態を変更する、
ようにしたことを特徴とする請求項１に記載の撮像装置。
【請求項３】
前記表示制御手段は、前記撮影位置、撮影方向、撮影倍率のいずれかの変化量に応じて前記仮被写体像の表示状態を変更する場合に、少なくともその表示サイズ、表示位置のいずれかを変更する、
ようにしたことを特徴とする請求項１あるいは請求項２に記載の撮像装置。
【請求項４】
前記特定手段は、前記撮像手段によって仮撮影された撮影画像内に実際に写っている実被写体像の位置に加えてその大きさを更に特定し、
前記合成表示手段は、前記ライブビュー画面内において、前記実被写体像の大きさを表す仮被写体像を前記特定手段によって特定された位置に配置して合成表示する、
ようにしたことを特徴とする請求項２に記載の撮像装置。
【請求項５】
前記仮撮影時を基準として、当該撮像装置の移動あるいは角度変更に応じて撮影位置あるいは撮影方向が変更された際にその変化量を検出する検出手段を更に備え、
前記表示制御手段は、前記検出手段により検出された変化量に応じて前記ライブビュー画面内の仮被写体像の表示状態を変更する、
ようにしたことを特徴とする請求項１〜請求項４のいずれかに記載の撮像装置。
【請求項６】
当該撮像装置の移動前の実被写体までの距離を特定する被写体距離特定手段を更に備え、
前記表示制御手段は、前記被写体距離特定手段によって特定された実被写体までの距離、及び前記検出手段により検出された変化量に応じて前記ライブビュー画面内の仮被写体像の表示状態を変更する、
ようにしたことを特徴とする請求項５に記載の撮像装置。
【請求項７】
前記検出手段は、当該撮像装置の左右方向への移動距離を測定する距離測定機能を有し、前記被写体距離特定手段によって特定された実被写体までの距離、レンズの焦点距離、前記距離測定機能によって測定された移動距離に応じて前記ライブビュー画面内での前記仮被写体像の左右方向への移動距離を算出し、
前記表示制御手段は、前記検出手段によって算出された移動距離に応じて前記ライブビュー画面内の仮被写体像を左右方向に移動表示させることにより仮被写体像の表示位置を変更する、
ようにしたことを特徴とする請求項６に記載の撮像装置。
【請求項８】
前記検出手段は、当該撮像装置の前後方向への移動距離を測定する距離測定機能を有し、
前記被写体距離特定手段によって特定された実被写体までの距離、レンズの焦点距離、前記距離測定機能によって測定された移動距離に応じて前記ライブビュー画面内での前記仮被写体像の移動倍率を算出し、
前記表示制御手段は、前記検出手段によって算出された移動倍率に応じて前記ライブビュー画面内の仮被写体像の表示サイズを変更する、
ようにしたことを特徴とする請求項６あるいは請求項７に記載の撮像装置。
【請求項９】
前記検出手段は、当該撮像装置の光軸を基準としてその角度を測定する角度測定機能を有し、前記被写体距離特定手段によって特定された実被写体までの距離、前記角度測定機能によって測定された角度に応じて前記ライブビュー画面内での前記仮被写体像の左右方向への移動距離を算出し、
前記表示制御手段は、前記検出手段によって算出された移動距離に応じて前記ライブビュー画面内の仮被写体像を左右方向に移動表示させることにより仮被写体像の表示位置を変更する、
ようにしたことを特徴とする請求項６〜請求項８のいずれかに記載の撮像装置。
【請求項１０】
撮影倍率を任意に変更する倍率変更手段を更に備え、
前記表示制御手段は、前記倍率変更手段により変更された撮影倍率に応じて前記ライブビュー画面内の仮被写体像の表示サイズを変更する、
ようにしたことを特徴とする請求項１〜請求項９のいずれかに記載の撮像装置。
【請求項１１】
前記撮像手段は、セルフタイマ撮影機能を備え、前記仮撮影として前記セルフタイマ撮影を行う、
ようにしたことを特徴とする請求項１〜請求項１０のいずれかに記載の撮像装置。
【請求項１２】
前記撮像手段によって仮撮影された撮影画像内から実被写体像を切り抜いて仮被写体像を生成する生成手段を更に備え、
前記合成表示手段は、前記生成手段によって生成された仮被写体像を前記ライブビュー画面内に合成表示する、
するようにしたことを特徴とする請求項〜請求項１１のいずれか記載の撮像装置。
【請求項１３】
前記合成表示手段は、前記ライブビュー画面内に前記仮被写体像として、予め用意されている仮想的な人型画像を前記特定手段によって特定された位置に配置して合成表示する、
ようにしたことを特徴とする請求項１〜請求項１２のいずれかに記載の撮像装置。
【請求項１４】
前記合成表示手段は、前記ライブビュー画面内において前記仮被写体像を透過表示する、
ようにしたことを特徴とする請求項１〜請求項１３のいずれかに記載の撮像装置。
【請求項１５】
前記撮像手段は、セルフタイマ撮影機能を備え、前記仮撮影を行った後の実撮影として前記セルフタイマ撮影を行う、
ようにしたことを特徴とする請求項１〜請求項１４のいずれかに記載の撮像装置。
【請求項１６】
被写体を撮影する撮像手段からの画像をライブビュー画像として表示するライブビュー画面内において、仮被写体像を所定の位置に配置して合成表示する処理と、
少なくとも撮影位置、撮影方向、撮影倍率のいずれかが変更された際にその変化量に応じて前記ライブビュー画面内の仮被写体像の表示状態を変更する処理と、
を含むことを特徴とする撮像処理方法。
【請求項１７】
コンピュータに対して、
被写体を撮影する撮像手段からの画像をライブビュー画像として表示するライブビュー画面内において、仮被写体像を所定の位置に配置して合成表示する機能と、
少なくとも撮影位置、撮影方向、撮影倍率のいずれかが変更された際にその変化量に応じて前記ライブビュー画面内の仮被写体像の表示状態を変更する機能と、
を実現させるためのプログラム。